(57)【要約】【課題】構造が簡単で製作コストが低く、しかも安定的に係留することができる浮消波堤を提供する。【解決手段】浮消波堤１は４つのアンカーブロック４５にチェーン４７を介して連結されて、係留されている。本体３の長手方向の略全長に渡って延びる遮板７、９、１１、１３が水中へ垂直に突出しているので、波のエネルギーを減衰でき、しかも本体３が回転するのを抑制することが可能である。従って、波の透過を安定して抑えることができる。【選択図】  図１
2018178551.tif 000002
【特許請求の範囲】
【請求項１】
水に浮かべた状態で係留されて備えられる浮消波堤であって、略円筒状の本体と、前記本体の開口を閉鎖する蓋体と、前記本体に設けられ板状で、且つ本体の長手方向の略全長に渡って延び、水中へ突出するエネルギー減衰部材を具備することを特徴とする浮消波堤。
【請求項２】
請求項１に記載した浮消波堤において、エネルギー減衰部材は下方へ垂直に延びていることを特徴とする浮消波堤。
【請求項３】
請求項１に記載した浮消波堤において、エネルギー減衰部材の水中へ突出する寸法は本体の直径のほぼ二分の一に設定されていることを特徴とする浮消波堤。
【請求項４】
請求項１から３のいずれかに記載した浮消波堤において、エネルギー減衰部材は互いに間隔をあけて複数設けられていることを特徴とする浮消波堤。
【請求項５】
請求項４に記載した浮消波堤において、エネルギー減衰部材は一対設けられ、本体の軸心の延長線を挟んで配置されていることを特徴とする浮消波堤。
【請求項６】
請求項５に記載した浮消波堤において、一対のエネルギー減衰部材は本体の軸心の延長線からの距離が等しくなるように配置されていることを特徴とする浮消波堤。
【請求項７】
請求項１から６のいずれかに記載した浮消波堤において、複数のエネルギー減衰部材どうしと、本体の外周面とを連結する連結部材を備えたことを特徴とする浮消波堤。
【請求項８】
請求項１から７のいずれかに記載した浮消波堤において、本体内には水に浮く浮力付与材が収容されていることを特徴とする浮消波堤。
【請求項９】
請求項８に記載した浮消波堤において、浮力付与材は本体内にほぼ隙間のない状態となるように備えられていることを特徴とする浮消波堤。
【請求項１０】
請求項８または９に記載した浮消波堤において、浮力付与材は本体の軸心が水面位置程度となる浮力を付与するものであることを特徴とする浮消波堤。
【請求項１１】
請求項１から１０のいずれかに記載した浮消波堤において、本体は複数の円筒状部材を連結して構成されていることを特徴とする浮消波堤。
【発明の詳細な説明】
【技術分野】
【０００１】
本発明は水面上に係留した状態で備える浮消波堤に関するものである。
【背景技術】
【０００２】
この種の浮消波堤は特許文献１に示されたものがあり、この浮消波堤は消波堤本体の内部が仕切壁によって上下２室に仕切られ、その下室が底無しタンク状に形成されると共に、その上室の内部に波の進行方向に沿って３つのタンクが形成され、該上室の両舷タンクは、水密箱状に形成されて、その内部に所定量の液体が封入されると共に、連通路を介して互いに連通され、上室の中央タンクは、その上面が開放されると共に、仕切壁に貫設した流通孔を介して下室に連通されている。
【０００３】
そして、消波堤本体が透過波に乗って縦揺れしたり横揺れしたりした場合には、その縦揺れは中央タンクと下室との間で海水が流通孔を通って交互に流通することにより著しく小さくされ、横揺れは両舷タンク内の液体が連通路を通過して交互に流通することにより著しく小さくされるため、消波堤本体を安定的に係留することができるとするものである。
【先行技術文献】
【特許文献】
【０００４】
【特許文献１】特開平７−１１９１２４号公報
【発明の概要】
【発明が解決しようとする課題】
【０００５】
しかしながら、上記従来の浮消波堤は構造が複雑で製作コストが嵩むという問題点がある。
本発明は構造が簡単で製作コストが低く、しかも波のエネルギーを減衰でき、本体が回転するのを抑制することが可能で、波の透過を安定して抑えることができる浮消波堤の提供を、その目的とする。
【課題を解決するための手段】
【０００６】
本発明は上記課題を解決するためになされたものであり、請求項１の発明は、水に浮かべた状態で係留されて備えられる浮消波堤であって、略円筒状の本体と、前記本体の開口を閉鎖する蓋体と、前記本体に設けられ板状で、且つ本体の長手方向の略全長に渡って延び、水中へ突出するエネルギー減衰部材を具備することを特徴とする浮消波堤である。
【０００７】
請求項２の発明は、請求項１に記載した浮消波堤において、エネルギー減衰部材は下方へ垂直に延びていることを特徴とする浮消波堤。
【０００８】
請求項３の発明は、請求項１に記載した浮消波堤において、エネルギー減衰部材の水中へ突出する寸法は本体の直径のほぼ二分の一に設定されていることを特徴とする浮消波堤である。
【０００９】
請求項４の発明は、請求項１から３のいずれかに記載した浮消波堤において、エネルギー減衰部材は互いに間隔をあけて複数設けられていることを特徴とする浮消波堤である。
【００１０】
請求項５の発明は、請求項４に記載した浮消波堤において、エネルギー減衰部材は一対設けられ、本体の軸心の延長線を挟んで配置されていることを特徴とする浮消波堤である。
【００１１】
請求項６の発明は、請求項５に記載した浮消波堤において、一対のエネルギー減衰部材は本体の軸心の延長線からの距離が等しくなるように配置されていることを特徴とする浮消波堤である。
【００１２】
請求項７の発明は、請求項１から６のいずれかに記載した浮消波堤において、複数のエネルギー減衰部材どうしと、本体の外周面とを連結する連結部材を備えたことを特徴とする浮消波堤である。
【００１３】
請求項８の発明は、請求項１から７のいずれかに記載した浮消波堤において、本体内には水に浮く浮力付与材が収容されていることを特徴とする浮消波堤である。
【００１４】
請求項９の発明は、請求項８に記載した浮消波堤において、浮力付与材は本体内にほぼ隙間のない状態となるように備えられていることを特徴とする浮消波堤である。
【００１５】
請求項１０の発明は、請求項８または９に記載した浮消波堤において、浮力付与材は本体の軸心が水面位置程度となる浮力を付与するものであることを特徴とする浮消波堤である。
【００１６】
請求項１１の発明は、請求項１から１０のいずれかに記載した浮消波堤において、本体は複数の円筒状部材を連結して構成されていることを特徴とする浮消波堤である。
【発明の効果】
【００１７】
本発明の浮消波堤では、構造が簡単で製作コストを低く抑えることができる。また、波のエネルギーを減衰でき、本体が回転するのを抑制することが可能で、波の透過を安定して抑えることができる。
【図面の簡単な説明】
【００１８】
【図１】本発明の実施の形態に係る浮消波堤を係留した状態の斜視図である。
【図２】図１の浮消波堤の正面図である。
【図３】（Ａ）は図２のＡ−Ａ断面図、（Ｂ）は図２のＢ−Ｂ断面図、（Ｃ）は図２のＣ−Ｃ断面図、（Ｄ）は図２のＤ−Ｄ断面図である。
【図４】図１の浮消波堤の構成部材である蓋体の平面図である。
【図５】図１の浮消波堤の構成部材である円筒状部材の正面図である。
【図６】図５の円筒状部材の底面図である。
【図７】図５の円筒状部材に連結される円筒状部材の正面図である。
【図８】図７の円筒状部材の底面図である。
【図９】図５、図６の円筒状部材と、この円筒状部材に組み付けられる部材の斜視図である。
【図１０】図７、図８の円筒状部材と、この円筒状部材に組み付けられる部材の斜視図である。
【図１１】図１の浮消波堤を水面上に係留した状態の側面図である。
【発明を実施するための形態】
【００１９】
本発明の実施の形態に係る浮消波堤１を図面にしたがって説明する。
図１、図２に示すように浮消波堤１は長手方向の中心を境に左右対称の形状を為している。浮消波堤１は略円筒状の本体３、この本体３の左右の開口を閉鎖する蓋体５、本体３に設けられ板状で、且つ本体の長手方向の略全長に渡って延び、後述するように水中へ突出するエネルギー減衰部材としての遮板７、９、１１、１３等を具備している。本体３、蓋体５及び遮板７、９、１１、１３は鋼材によって構成されている。
【００２０】
浮消波堤１を構成する部材について詳細に説明する。
符号１５は円筒状部材を示し、この円筒状部材１５の左右両端部にはフランジ１７が形成されている。フランジ１７と円筒状部材１５の外周面は略二等辺三角形の板状を為す複数の補強板を介して連結されている。また、フランジ１７には複数のボルト挿通穴２１が形成されている。
【００２１】
円筒状部材１５の外周面には、各々一対を一組とする遮板７、９、１１が三組取り付けられており、遮板７、９、１１は下方へ垂直に延びている。また、遮板７、９、１１の突出寸法（幅寸法）は円筒状部材１５の直径のほぼ二分の一に設定されている。
一対の遮板７は互いに間隔を開けて対向して設けられ、円筒状部材１５の軸心Ｃの延長線Ｌを挟んで備えられている。そして、一対の遮板７は延長線Ｌからの距離が等しくなるように配置されている。一対の遮板９、一対の遮板１１も同様に配置されている。
遮板７が最も大きな長さ寸法を有し、遮板９、遮板１１の順に大きな長さ寸法を有しており、遮板７は遮板１１のほぼ２倍の長さ寸法となっている。
【００２２】
一対の遮板７どうしの間には３枚の連結板１８が渡設されている。連結板１８は一対の遮板７と円筒状部材１５の外周面とに固定されており、連結板１８を介して一対の遮板７どうしと、円筒状部材１５の外周面とが連結されている。連結板１８は一対の遮板７の長手方向に互いに等間隔を開けて配置されている。
一対の遮板９どうしの間にも３枚の連結板１８が渡設されており、一対の遮板９どうしと、円筒状部材１５の外周面とが連結されている。連結板１８を介して一対の遮板９どうしと、円筒状部材１５の外周面とが連結されている。連結板１８は一対の遮板９の長手方向に互いに等間隔を開けて配置されている。
更に、一対の遮板１１どうしの間には２枚の連結板１８が渡設されており、一対の遮板１１どうしと、円筒状部材１５の外周面とが連結されている。連結板１８は一対の遮板１１の両端部に配置されている。
【００２３】
遮板７の右端部と遮板９の左端部との間、遮板９の右端部と遮板１１の左端部との間には隙間が開いている。すなわち、遮板７と遮板９は互いに間隔を開けて設けられ、遮板９と遮板１１は互いに間隔を開けて設けられている。
円筒状部材１５の外周面には一対の係留用ピース２９が固定されている。係留用ピース２９は遮板７の右端部と遮板９の左端部との隙間に対応する箇所に斜め下方を向く姿勢で備えられている。
【００２４】
また、円筒状部材１５の外周面には標識灯取付台３３が取り付けられており、この標識灯取付台３３は、遮板９、１１と反対側になる位置、すなわち上方へ向く姿勢で備えられている。
遮板９には円筒状部材１５、遮板７、９、１１等が錆びるのを抑制するための防食部材３５が取り付けられている。
【００２５】
符号２３は円筒状部材を示し、この円筒状部材２３の左右両端部にはフランジ２５が形成されている。フランジ２５と円筒状部材２３の外周面は略二等辺三角形の板状を為す複数の補強板を介して連結されている。また、フランジ２５には複数のボルト挿通穴２７が形成されている（図１０参照）。
【００２６】
円筒状部材２３の外周面には、一対の遮板１３が取り付けられており、一対の遮板１３は下方へ垂直に延びている。また、遮板１３の水中へ突出する寸法（幅寸法）は、円筒状部材２３の直径のほぼ二分の一に設定されている。
一対の遮板１３は互いに間隔を開けて対向して設けられ、円筒状部材２３の軸心Ｃの延長線Ｌを挟んで備えられている（図１１参照）。そして、一対の遮板１３は延長線Ｌからの距離が等しくなるように配置されている。
【００２７】
一対の遮板１３どうしの間には連結部材としての６枚の連結板１８が渡設されている。連結板１８は一対の遮板１３と円筒状部材２３の外周面とに固定されて、一対の遮板１３どうしと、円筒状部材２３の外周面とを連結している。連結板１８は一対の遮板１３の長手方向に互いに等間隔を開けて配置されている。
【００２８】
符号３７は円筒状部材を示し、この円筒状部材３７は円筒状部材１５と線対称の形状を有している。この円筒状部材３７は円筒状部材１５に備えられる遮板７、９、１１等の部材も線対称形状であり、且つ線対称となる位置に備えられているので、円筒状部材３７に備えられる各部材については円筒状部材１５に備えられた各部材の説明で用いた符号を付す。
蓋体５は円板状で、円筒状部材１５、３７のフランジ１７に形成されたボルト挿通穴２１に対応するボルト挿通穴３９が形成されている。
【００２９】
浮消波堤１の組み立て方法を説明する。
図９、図１０に示すように円筒状部材１５、２３に、浮力付与部材としての発泡スチロール製の円柱体４１を収容する。この円柱体４１は円筒状部材１５、２３の内側空間部に対し１０ｍｍ〜２０ｍｍ程度小さい直径となっている。円柱体４１を切断して長さ寸法を調節して、円柱体４１を円筒状部材１５、２３の内部、すなわち本体３内に僅かな隙間を開けて備える。
円柱体４１は、本体３の軸心が水面位置程度となる浮力を付与するように設定されている（図１１参照）。
【００３０】
そして、円筒状部材１５の右端部のフランジ１７と円筒状部材２３の左端部のフランジ２５とを接合し、円筒状部材２３の右端部のフランジ２５と円筒状部材３７の左端部のフランジ１７を接合する。次いで、各フランジのボルト挿通穴２１とボルト挿通穴２７にボルト（図示せず）を挿通し、ボルトにナット（図示せず）を螺合して締結することで、円筒状部材１５、２３、３７を連結する。
円筒状部材１５の左端部のフランジ１７と、円筒状部材３７の右端部のフランジ１７に蓋体５を宛がい、ボルト挿通穴２１とボルト挿通穴３９を対応させる。そして、ボルト挿通穴２１とボルト挿通穴３９にボルト（図示せず）を挿通し、ボルトにナット（図示せず）を螺合して締結することで、蓋体５によって円筒状部材１５の左端部の開口と、円筒状部材３７の右端部の開口を閉鎖する。
また、標識灯取付台３３に標識灯４３を取り付ける。
【００３１】
以上のようにして組み立てた浮消波堤１を係留場所へ曳航し、図１に示すように、４つのアンカーブロック４５にチェーン４７の一端部を連結し、他端部を係留用ピース２９に連結して、浮消波堤１を係留する。
前述のように本体３の軸心Ｃが水面位置程度の浮力を付与するように設定されているので、図１１に示す状態となる。
本体３の長手方向の略全長に渡って延びる遮板７、９、１１、１３が水中へ垂直に突出しているので、本体３が波を受けた場合に、波のエネルギーを減衰でき、しかも本体３が回転するのを抑制することが可能である。従って、波の透過を安定して抑えることができる。
【００３２】
また、一対の遮板７、一対の遮板９、一対の遮板１１、一対の遮板１３はそれぞれ互いに間隔を開けて対向して設けられ、本体３の軸心Ｃの延長線Ｌを挟み、且つ延長線Ｌからの距離が等しくなるように備えられているので、図１１において右方向、左方向のいずれの方向から波が来ても、上記のように波のエネルギーを減衰でき、しかも本体３が回転するのを抑制することが可能であり、波の透過を安定して抑えることができる。
【００３３】
更に、連結板１８が設けられているので、遮板７、９、１１、１３にかなり大きな圧力が加わっても、遮板７、９、１１、１３が変形するのを防止することが可能である。
【００３４】
また、本体に発泡スチロール製の円柱体４１がほぼ隙間のない状態となるように備えられているので、本体３に穴が開くなどしても、浮消波堤１が沈没することはない。
また、本体３を構成する円筒状部材１５、２３、３７は市販の鋼管に僅かな加工を施すことで製作されているので、浮消波堤１の製作コストを低く抑えることができる。
【００３５】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態では、本体を３本の円筒状部材によって構成したが、本発明はこれに限定されず、１本または２本、または４本以上の円筒状部材によって構成してもよい。
円筒状部材の数や使用する円筒状部材の長さ寸法を変更して本体の長さ寸法を変えることができる。従って、本発明の浮消波堤では、係留場所等に応じて本体の長さ寸法を容易に変更することが可能である。
また、各遮板の水中へ突出する寸法（幅寸法）、長さ寸法、数は係留場所等の条件に応じて変えることが可能である。
【産業上の利用可能性】
【００３６】
本発明の浮消波堤は、浮消波堤製造業、港湾土木業において利用可能性を有する。
【符号の説明】
【００３７】
１…浮消波堤                    ３…本体                      ５…蓋体
７、９、１１、１３…遮板      １５…円筒状部材              １７…フランジ
１８…連結板                    ２１…ボルト挿通穴            ２３…円筒状部材
２５…フランジ                  ２７…ボルト挿通穴            ２９…係留用ピース
３３…標識灯取付台              ３５…防食部材                ３７…円筒状部材
３９…ボルト挿通穴              ４１…発泡スチロール          ４３…標識灯
４５…アンカーブロック          ４７…チェーン
Ｃ…本体の軸心                    Ｌ…本体の軸心の延長線
【図１】
2018178551.tif 000003
【図２】
2018178551.tif 000004
【図３】
2018178551.tif 000005
【図４】
2018178551.tif 000006
【図５】
2018178551.tif 000007
【図６】
2018178551.tif 000008
【図７】
2018178551.tif 000009
【図８】
2018178551.tif 000010
【図９】
2018178551.tif 000011
【図１０】
2018178551.tif 000012
【図１１】
2018178551.tif 000013